(57)【要約】【課題】契約先の通信事業者にかかわらず、在圏サービスが提供されるエリア内において在圏サービスを提供することができる通信システム、通信ノード装置を提供すること。【解決手段】本発明にかかる通信システムは、通信端末１０と、通信端末１０の在圏する位置に応じて提供される在圏サービスを示すサービス識別子を、在圏サービスを提供する位置に在圏する通信端末１０へ送信するサービス提供サーバ４０と、移動通信ネットワークに配置され、サービス提供サーバ４０から送信されたサービス識別子を、ＣＢＳメッセージに設定し、ＣＢＳメッセージを在圏サービスを提供する位置に在圏する通信端末１０へ同報配信する通信ノード装置３０と、を備える。通信端末１０は、サービス識別子に基づいて、サービス提供サーバ４０へ接続し、サービス提供サーバ４０が提供する在圏サービスの提供を受ける。【選択図】図１
2015095851.tif 000002
【特許請求の範囲】
【請求項１】
セル間を移動する通信端末と、
前記通信端末の在圏する位置に応じて提供される在圏サービスを示すサービス識別子を、移動通信ネットワークを介して、前記在圏サービスを提供する位置に在圏する前記通信端末へ送信するサービス提供サーバと、
前記移動通信ネットワークに配置され、前記サービス提供サーバから送信された前記サービス識別子を、ＣＢＳ（Cell Broadcast Service）メッセージに設定し、前記ＣＢＳメッセージを前記在圏サービスを提供する位置に在圏する前記通信端末へ同報配信する通信ノード装置と、を備え、
前記通信端末は、
前記サービス識別子に基づいて、前記サービス提供サーバへ接続し、前記サービス提供サーバが提供する前記在圏サービスの提供を受ける、通信システム。
【請求項２】
前記サービス提供サーバは、
第１のセル内に含まれる第２のセルに在圏する前記通信端末へ前記在圏サービスを提供し、
前記通信ノード装置は、
前記第２のセルに在圏する通信端末へ前記サービス識別子を設定した前記ＣＢＳメッセージを同報配信する、請求項１に記載の通信システム。
【請求項３】
前記第１のセルは、第１の移動通信ネットワークに配置される第１の基地局によって形成されるマクロセルであり、
前記第２のセルは、第２の移動通信ネットワークに配置される第２の基地局によって形成されるフェムトセルである、請求項２に記載の通信システム。
【請求項４】
前記通信端末は、
前記第２の基地局を介して送信された前記ＣＢＳメッセージを受信し、前記第１の基地局を介して前記サービス提供サーバへ接続する、請求項３に記載の通信システム。
【請求項５】
前記通信端末は、
前記第２の基地局を介して送信された前記ＣＢＳメッセージを受信し、無線ＬＡＮを介して前記サービス提供サーバへ接続する、請求項３に記載の通信システム。
【請求項６】
前記通信端末は、
前記第２の基地局から送信された前記ＣＢＳメッセージを受信後に、前記ＣＢＳメッセージを用いた処理の実行に制限がかけられている場合、在圏サービス実行用アプリケーションを起動している間のみ、前記ＣＢＳメッセージを用いた処理の実行の制限を解除する、請求項３乃至５のいずれか１項に記載の通信システム。
【請求項７】
前記第２の移動通信ネットワークは、複数の前記第２の基地局を有し、
前記通信ノード装置は、
複数の前記第２の基地局の中から同報配信を実行する第３の基地局を選択し、前記第３の基地局へ前記ＣＢＳメッセージを送信する、請求項３乃至６のいずれか１項に記載の通信システム。
【請求項８】
前記サービス提供サーバは、
前記移動通信ネットワークを介して、前記在圏サービスを提供する位置に在圏する前記通信端末へ認証鍵を送信し、前記認証鍵を用いて前記通信端末を認証し、
前記通信端末は、
前記サービス提供サーバへ接続する際に、前記移動通信ネットワークを介して受信した前記認証鍵を前記サービス提供サーバへ送信する、請求項１乃至７のいずれか１項に記載の通信システム。
【請求項９】
前記サービス提供サーバは、
前記認証鍵を用いて接続した前記通信端末へ前記在圏サービスを提供し、前記認証鍵を用いずに接続した前記通信端末へ前記在圏サービスを提供しない、請求項８に記載の通信システム。
【請求項１０】
セル間を移動する通信端末の在圏する位置に応じて提供される在圏サービスを示すサービス識別子であって、前記在圏サービスを提供するサービス提供サーバから送信された前記サービス識別子を受信し、受信した前記サービス識別子をＣＢＳメッセージに設定し、前記ＣＢＳメッセージを前記在圏サービスが提供される位置に在圏する前記通信端末へ同報配信するＣＢＣメッセージ生成部を備える、通信ノード装置。
【請求項１１】
第１のセルは、第１の移動通信ネットワークに配置される第１の基地局によって形成されるマクロセルであり、第２のセルは、第２の移動通信ネットワークに配置される第２の基地局によって形成されるフェムトセルであり、前記第１のセル内に含まれる前記第２のセルに在圏する前記通信端末へ前記在圏サービスが提供される場合、
前記ＣＢＣメッセージ生成部は、
前記第２の移動通信ネットワークを介して前記第２のセルに在圏する前記通信端末へ前記サービス識別子を設定した前記ＣＢＳメッセージを同報配信する、請求項１０に記載の通信ノード装置。
【請求項１２】
セル間を移動する通信端末の在圏する位置に応じて提供される在圏サービスを示すサービス識別子を、ＣＢＳメッセージを同報配信する移動通信ネットワークへ送信し、前記移動通信ネットワークを介して、前記ＣＢＳメッセージに設定された前記サービス識別子を受信した通信端末から接続されると、前記通信端末へ前記在圏サービスを提供する、サービス提供サーバ。
【請求項１３】
前記移動通信ネットワークを介して、前記在圏サービスを提供する位置に在圏する前記通信端末へ認証鍵を送信し、前記認証鍵を用いて前記通信端末を認証する、請求項１２に記載のサービス提供サーバ。
【請求項１４】
前記認証鍵を用いて接続してきた前記通信端末へ前記在圏サービスを提供し、前記認証鍵を用いずに接続してきた前記通信端末へ前記在圏サービスを提供しない、請求項１３に記載のサービス提供サーバ。
【請求項１５】
通信端末の在圏する位置に応じて提供される在圏サービスを示すサービス識別子が設定されたＣＢＳメッセージを、移動通信ネットワークを介して同報配信されることによって受信する在圏サービス判定部と、
前記サービス識別子に基づいて、前記在圏サービスを提供するサービス提供サーバへ接続する在圏サービス要求部と、を備える通信端末。
【請求項１６】
第１のセルは、第１の移動通信ネットワークに配置される第１の基地局によって形成されるマクロセルであり、第２のセルは、第２の移動通信ネットワークに配置される第２の基地局によって形成されるフェムトセルであり、前記第１のセル内に含まれる前記第２のセルに在圏する前記通信端末へ前記在圏サービスが提供される場合、
前記在圏サービス判定部は、
前記第２の基地局を介して送信された前記ＣＢＳメッセージを受信し、
前記在圏サービス要求部は、
前記第１の基地局を介して前記在圏サービスを提供するサービス提供サーバへ接続する、請求項１５に記載の通信端末。
【請求項１７】
第１のセルは、第１の移動通信ネットワークに配置される第１の基地局によって形成されるマクロセルであり、第２のセルは、第２の移動通信ネットワークに配置される第２の基地局によって形成されるフェムトセルであり、前記第１のセル内に含まれる前記第２のセルに在圏する前記通信端末へ前記在圏サービスが提供される場合、
前記在圏サービス判定部は、
前記第２の基地局を介して送信された前記ＣＢＳメッセージを受信し、
前記在圏サービス判定部は、
無線ＬＡＮを介して前記在圏サービスを提供するサービス提供サーバへ接続する、請求項１５に記載の通信端末。
【請求項１８】
前記第２の基地局から送信された前記ＣＢＳメッセージを受信後に、前記ＣＢＳメッセージを用いた処理の実行に制限がかけられている場合、在圏サービスアプリケーションを起動し、前記ＣＢＳメッセージを用いた処理の実行の制限を解除する在圏サービス制御部をさらに備える、請求項１６又は１７に記載の通信端末。
【請求項１９】
セル間を移動する通信端末の在圏する位置に応じて提供される在圏サービスを示すサービス識別子であって、前記在圏サービスを提供するサービス提供サーバから送信された前記サービス識別子を受信し、
受信した前記サービス識別子をＣＢＳメッセージに設定し、
前記ＣＢＳメッセージを前記在圏サービスが提供される位置に在圏する前記通信端末へ同報配信するメッセージ送信方法。
【請求項２０】
セル間を移動する通信端末の在圏する位置に応じて提供される在圏サービスを示すサービス識別子を、ＣＢＳメッセージを同報配信する移動通信ネットワークへ送信し、
前記移動通信ネットワークを介して、前記ＣＢＳメッセージに設定された前記サービス識別子を受信した通信端末から接続されると、前記通信端末へ前記在圏サービスを提供する、サービス提供方法。
【請求項２１】
通信端末の在圏する位置に応じて提供される在圏サービスを示すサービス識別子が設定されたＣＢＳメッセージを、移動通信ネットワークを介して同報配信されることによって受信し、
前記サービス識別子に基づいて、前記在圏サービスを提供するサービス提供サーバへ接続する、サーバ接続方法。
【請求項２２】
セル間を移動する通信端末の在圏する位置に応じて提供される在圏サービスを示すサービス識別子であって、前記在圏サービスを提供するサービス提供サーバから送信された前記サービス識別子を受信し、
受信した前記サービス識別子をＣＢＳメッセージに設定し、
前記ＣＢＳメッセージを前記在圏サービスが提供される位置に在圏する前記通信端末へ同報配信することをコンピュータに実行させるプログラム。
【請求項２３】
セル間を移動する通信端末の在圏する位置に応じて提供される在圏サービスを示すサービス識別子を、ＣＢＳメッセージを同報配信する移動通信ネットワークへ送信し、
前記移動通信ネットワークを介して、前記ＣＢＳメッセージに設定された前記サービス識別子を受信した通信端末から接続されると、前記通信端末へ前記在圏サービスを提供することをコンピュータに実行させるプログラム。
【請求項２４】
通信端末の在圏する位置に応じて提供される在圏サービスを示すサービス識別子が設定されたＣＢＳメッセージを、移動通信ネットワークを介して同報配信されることによって受信し、
前記サービス識別子に基づいて、前記在圏サービスを提供するサービス提供サーバへ接続することをコンピュータに実行させるプログラム。
【発明の詳細な説明】
【技術分野】
【０００１】
本発明は通信システムに関し、特にＣＢＳメッセージを送信する通信システムに関する。
【背景技術】
【０００２】
移動通信ネットワークを用いて複数の通信端末へ一斉に情報を配信する同報配信サービスとして、３ＧＰＰ（3rd Generation Partnership Project）において標準化されたＣＢＳ（Cell Broadcast Service）が用いられている。さらに、地震情報もしくは津波情報等の災害情報を特定のエリアにより速く同報配信するために、３ＧＰＰにおいてＥＴＷＳ（Earthquake Tsunami Warning System）が標準化されている。例えば、特許文献１には、ＥＴＷＳに関するシステム構成が開示されている。ＥＴＷＳは、主に災害情報を早急に配信するために用いられる。一方、ＥＴＷＳを、他の使用用途に用いることも検討されている。他の使用用途として、例えば在圏サービス等が検討されている。在圏サービスとは、例えば、ユーザが有る特定のエリアに在圏した場合に、そのユーザに対して在圏位置に応じた情報を配信する等のサービスである。配信される情報は、例えば、広告情報等であってもよい。
【先行技術文献】
【特許文献】
【０００３】
【特許文献１】特表２０１１−５２９２１４号公報
【発明の概要】
【発明が解決しようとする課題】
【０００４】
しかし、在圏サービスを提供するエリアを形成する基地局は、特定の通信事業者によって管理されている。そのため、特定の通信事業者と契約している通信端末は、在圏サービスが提供されるエリアに移動した場合に、そのエリアを形成する基地局を介して、在圏位置を配信サーバ等へ通知することができる。配信サーバは、例えば、広告情報等を配信するサーバである。しかし、特定の通信事業者と契約していない通信端末は、在圏サービスが提供されるエリアを形成する基地局を介して在圏位置を配信サーバへ通知することができない。そのため、特定の通信事業者と契約している通信端末以外の通信端末には、在圏サービスを提供することができないという問題がある。
【０００５】
本発明の目的は、契約先の通信事業者にかかわらず、在圏サービスが提供されるエリア内において在圏サービスを提供する、もしくは、在圏サービスの提供を受けることができる通信システム、通信ノード装置、サービス提供サーバ、通信端末、メッセージ送信方法及びプログラムを提供することにある。
【課題を解決するための手段】
【０００６】
本発明の第１の態様にかかる通信システムは、セル間を移動する通信端末と、前記通信端末の在圏する位置に応じて提供される在圏サービスを示すサービス識別子を、移動通信ネットワークを介して、前記在圏サービスを提供する位置に在圏する前記通信端末へ送信するサービス提供サーバと、前記移動通信ネットワークに配置され、前記サービス提供サーバから送信された前記サービス識別子を、ＣＢＳメッセージに設定し、前記ＣＢＳメッセージを前記在圏サービスを提供する位置に在圏する前記通信端末へ同報配信する通信ノード装置と、を備え、前記通信端末は、前記サービス識別子に基づいて、前記サービス提供サーバへ接続し、前記サービス提供サーバが提供する前記在圏サービスの提供を受けるものである。
【０００７】
本発明の第２の態様にかかる通信ノード装置は、セル間を移動する通信端末の在圏する位置に応じて提供される在圏サービスを示すサービス識別子であって、前記在圏サービスを提供するサービス提供サーバから送信された前記サービス識別子を受信し、受信した前記サービス識別子をＣＢＳメッセージに設定し、前記ＣＢＳメッセージを前記在圏サービスが提供される位置に在圏する前記通信端末へ同報配信するＣＢＣメッセージ生成部を備えるものである。
【０００８】
本発明の第３の態様にかかるサービス提供サーバは、セル間を移動する通信端末の在圏する位置に応じて提供される在圏サービスを示すサービス識別子を、ＣＢＳメッセージを同報配信する移動通信ネットワークへ送信し、前記移動通信ネットワークを介して、前記ＣＢＳメッセージに設定された前記サービス識別子を受信した通信端末から接続されると、前記通信端末へ前記在圏サービスを提供するものである。
【０００９】
本発明の第４の態様にかかる通信端末は、通信端末の在圏する位置に応じて提供される在圏サービスを示すサービス識別子が設定されたＣＢＳメッセージを、移動通信ネットワークを介して同報配信されることによって受信する在圏サービス判定部と、前記サービス識別子に基づいて、前記在圏サービスを提供するサービス提供サーバへ接続する在圏サービス要求部と、を備えるものである。
【００１０】
本発明の第５の態様にかかるメッセージ送信方法は、セル間を移動する通信端末の在圏する位置に応じて提供される在圏サービスを示すサービス識別子であって、前記在圏サービスを提供するサービス提供サーバから送信された前記サービス識別子を受信し、受信した前記サービス識別子をＣＢＳメッセージに設定し、前記ＣＢＳメッセージを前記在圏サービスが提供される位置に在圏する前記通信端末へ同報配信するものである。
【００１１】
本発明の第６の態様にかかるプログラムは、セル間を移動する通信端末の在圏する位置に応じて提供される在圏サービスを示すサービス識別子であって、前記在圏サービスを提供するサービス提供サーバから送信された前記サービス識別子を受信し、受信した前記サービス識別子をＣＢＳメッセージに設定し、前記ＣＢＳメッセージを前記在圏サービスが提供される位置に在圏する前記通信端末へ同報配信することをコンピュータに実行させるものである。
【発明の効果】
【００１２】
本発明により、契約先の通信事業者にかかわらず、在圏サービスが提供されるエリア内において在圏サービスを提供する、もしくは、在圏サービスの提供を受けることができる通信システム、通信ノード装置、サービス提供サーバ、通信端末、メッセージ送信方法及びプログラムを提供することができる。
【図面の簡単な説明】
【００１３】
【図１】実施の形態１にかかる通信システムの構成図である。
【図２】実施の形態２にかかる通信システムの構成図である。
【図３】実施の形態２にかかるセルの配置を説明する図である。
【図４】実施の形態２にかかるＣＢＣの構成図である。
【図５】実施の形態２にかかるＨＮＢ−ＧＷの構成図である。
【図６】実施の形態２にかかるＵＥの構成図である。
【図７】実施の形態２にかかる在圏サービスの提供処理の流れを示す図である。
【図８】実施の形態２にかかるＣＢＣにおけるＣＢＳメッセージの送信処理の流れを示す図である。
【図９】実施の形態２にかかるＵＥにおけるＣＢＳメッセージの受信処理の流れを示す図である。
【図１０】実施の形態３にかかる在圏サービスの提供処理の流れを示す図である。
【図１１】実施の形態３にかかるサービス提供サーバにおける認証処理の流れを示す図である。
【図１２】実施の形態３にかかるＵＥにおけるＣＢＳメッセージの受信処理の流れを示す図である。
【図１３】実施の形態４にかかるＵＥの構成図である。
【図１４】実施の形態４にかかるＵＥにおけるＣＢＳメッセージの受信処理の流れを示す図である。
【発明を実施するための形態】
【００１４】
（実施の形態１）
以下、図面を参照して本発明の実施の形態について説明する。はじめに、図１を用いて本発明の実施の形態１にかかる通信システムの構成例について説明する。図１の通信システムは、通信端末１０、通信ノード装置３０及びサービス提供サーバ４０を有している。
【００１５】
通信端末１０は、ユーザが持ち運ぶ端末であり、ユーザの移動に伴い、セル間を移動する。セルは、例えば、基地局等により形成される通信エリアである。図１には、通信端末１０が、セル２０に在圏している様子を示している。また、通信端末１０は、携帯電話端末、スマートフォン端末、タブレット型端末等であってもよく、もしくは、通信機能を有するウェアラブル端末もしくはウェアラブルコンピュータ等であってもよい。
【００１６】
サービス提供サーバ４０は、通信端末１０の在圏する位置に応じて通信端末１０へ提供する在圏サービスを示すサービス識別子を、移動通信ネットワークを介して在圏サービスを提供する位置に在圏する通信端末１０へ送信する。在圏サービスは、例えば、ユーザが有る特定のエリアに在圏した場合に、そのユーザが有する通信端末に対して在圏位置に応じた広告情報、クーポン情報もしくは防災情報等を配信するサービスであってもよい。
【００１７】
サービス識別子は、例えば、配信する情報の種別に応じて異なる値が用いられてもよい。例えば、広告情報、クーポン情報もしくは防災情報において、それぞれ異なる値が用いられてもよい。もしくは、サービス識別子は、サービス提供サーバ４０毎に異なる値が用いられてもよい。例えば、通信システム内に複数のサービス提供サーバが存在する場合、それぞれのサービス提供サーバを識別するために、サービス識別子が用いられてもよい。
【００１８】
移動通信ネットワークは、例えば、３ＧＰＰにおいて定められた規格に基づいて構成されたネットワークである。
【００１９】
通信ノード装置３０は、移動通信ネットワーク内に配置されている。さらに、通信ノード装置３０は、サービス提供サーバ４０から送信されたサービス識別子を、ＣＢＳメッセージに設定し、ＣＢＳメッセージをセル２０に在圏する通信端末１０へ同報配信する。
【００２０】
通信ノード装置３０は、例えば、基地局であってもよく、配信する情報を中継する装置等であってもよい。ＣＢＳメッセージは、同報配信サービスとしてＣＢＳが用いられている場合に、ＣＢＳにおいて配信されるメッセージである。なお、ＣＢＳメッセージは、３ＧＰＰにおいて定められたＥＴＷＳにおいても用いられるメッセージである。
【００２１】
同報配信とは、特定のエリアに在圏する複数の通信端末に対して、同じメッセージを配信することである。また、ＣＢＳメッセージは、契約先の通信事業者に関係なく、在圏サービスを提供する位置に在圏する通信端末へ配信される。つまり、ＣＢＳメッセージを配信する移動通信ネットワークを管理する通信事業者と契約していない通信端末に対しても、ＣＢＳメッセージが配信される。これより、在圏サービスを提供する位置に在圏する通信端末は、契約先の通信事業者によらず、サービス識別子が設定されたＣＢＳメッセージを受信する。
【００２２】
通信端末１０は、サービス識別子に基づいて、サービス提供サーバ４０へ接続する。さらに、通信端末１０は、サービス提供サーバ４０が提供する在圏サービスの提供を受ける。
【００２３】
サービス識別子が、例えば配信する情報の種別に応じて異なる値が用いられている場合、通信端末１０は、サービス識別子と関連づけられている情報を配信するサービス提供サーバ４０へ接続する。もしくは、サービス識別子が、サービス提供サーバを識別するために用いられている場合、通信端末１０は、サービス識別子と関連づけられているサービス提供サーバ４０へ接続する。通信端末１０は、予めサービス識別子と接続先のサービス提供サーバ４０への接続情報とを関連付けて保持していてもよい。もしくは、接続先のサービス提供サーバ４０への接続情報は、ＣＢＳメッセージに設定されていてもよい。
【００２４】
サービス提供サーバ４０への接続情報は、例えば、サービス提供サーバ４０のアドレス情報であってもよい。
【００２５】
ここで、通信端末１０がサービス提供サーバ４０へ接続する際に用いるネットワークとして、ＣＢＳメッセージが配信される際に用いられる移動通信ネットワーク以外のネットワークが用いられてもよい。例えば、通信端末１０は、無線ＬＡＮ及びインターネットを介してサービス提供サーバ４０へ接続してもよく、もしくは、ＣＢＳメッセージが配信される際に用いられる移動通信ネットワークと異なる移動通信ネットワークが用いられてもよい。
【００２６】
以上説明したように、在圏サービスが提供される位置に在圏する通信端末１０は、契約先の通信事業者によらず送信されるＣＢＳメッセージを受信することができる。さらに、通信端末１０は、ＣＢＳメッセージに設定されたサービス識別子を受け取ると、在圏サービスを提供するサービス提供サーバ４０へアクセスすることができる。これによって、サービス提供サーバ４０は、在圏サービスを提供する位置に在圏する通信端末１０の位置もしくはアドレス情報等を認識することができるため、通信端末１０に対して在圏サービスを提供することができる。
【００２７】
（実施の形態２）
続いて、図２を用いて本発明の実施の形態２にかかる通信システムの構成例について説明する。図２の通信システムは、ＵＥ（User Equipment）１１、サービス提供サーバ４０、ネットワーク５０及びネットワーク６０を有している。また、ネットワーク５０は、ＨＮＢ（Home NodeB）３１、ＨＮＢ−ＧＷ（Gateway）３２及びＣＢＣ（Cell Broadcast Center）３３を有している。サービス提供サーバ４０は、図１のサービス提供サーバ４０と同様であるため詳細な説明を省略する。ＵＥ１１は、図１の通信端末１０に相当する。また、ＨＮＢ３１、ＨＮＢ−ＧＷ３２及びＣＢＣ３３は、図１の通信ノード装置３０に相当する。また、ここでは、ＵＥ１１は、ネットワーク６０を管理する通信事業者と契約を結んでいるとする。
【００２８】
サービス提供サーバ４０は、在圏サービスを提供する位置に在圏する複数のＵＥへ、ネットワーク５０を介してサービス識別子を同報配信する。ＵＥ１１は、複数のＵＥに含まれるＵＥである。
【００２９】
ＨＮＢ３１は、例えば家庭内もしくはビルの１フロア等の狭いエリアを通信エリアとする基地局装置である。ＨＮＢが形成するセルは、フェムトセルと称されてもよく、さらに、ＨＮＢは、フェムト基地局と称されてもよい。また、一般的に用いられる基地局装置の通信エリアは、半径数キロメートルに及ぶ場合もある。そのため、フェムト基地局が形成する通信エリアは、一般的に用いられる基地局装置の通信エリアと比較して十分狭い。ＨＮＢ−ＧＷ３２は、ＨＮＢ３１とＣＢＣ３３との間の通信を中継する装置である。また、ＨＮＢ−ＧＷ３２は、複数のＨＮＢ３１を集約する装置であってもよい。ＣＢＣ３３は、同報配信サービスとしてＣＢＳが用いられる際に、ＣＢＳメッセージを生成し、生成したＣＢＳメッセージを送信する装置である。ＣＢＣ３３は、ＣＢＳもしくはＥＴＷＳを実行するために用いられるサーバ装置である。
【００３０】
本図においては、サービス提供サーバ４０は、ネットワーク５０を介してサービス識別子をＵＥ１１へ配信する。さらに、ＵＥ１１は、ネットワーク５０を介してサービス識別子を受信すると、在圏サービスの提供を受けるために、ネットワーク６０を介してサービス提供サーバ４０へ接続する。ネットワーク６０は、例えば、ネットワーク５０を管理する通信事業者とは異なる通信事業者が管理するネットワークである。ネットワーク６０は、例えば、インターネットサービスプロバイダが管理するネットワークであってもよく、移動通信事業者が管理するネットワークであってもよい。もしくは、ネットワーク６０は、そのほかの公衆通信ネットワークであってもよい。
【００３１】
ここで、図３を用いて、ＵＥ１１が在圏するセルの構成について説明する。ＨＮＢ３１は、セル２１を形成する。また、ネットワーク６０に含まれる基地局６１は、セル６２を形成する。ネットワーク５０及びネットワーク６０は、それぞれ異なる通信事業者が管理するネットワークとする。また、ＵＥ１１は、ネットワーク６０を管理する通信事業者と契約しているとする。さらに、セル２１は、サービス提供サーバ４０が在圏サービスを提供するエリアであるとする。本図に示すように、セル２１は、セル６２の一部のエリアに含まれる。
【００３２】
本図に示すようにセルが形成されている場合、ＵＥ１１は、セル２１に移動してきた場合、ＨＮＢ３１を介してサービス識別子が設定されたＣＢＳメッセージを受信することができる。さらに、ＵＥ１１は、受信したサービス識別子に基づいて、基地局６１を介してサービス提供サーバ４０へ接続する。以降、ＵＥ１１は、基地局６１を介してサービス提供サーバ４０から配信される広告情報等を受信する。
【００３３】
このように、ＵＥ１１は、ＨＮＢ３１を介して送信されたサービス識別子に基づいて、基地局６１を介してサービス提供サーバ４０へ接続することができる。言い換えると、ＵＥ１１は、ＨＮＢ３１を管理する通信事業者と契約をしていないため、ＨＮＢ３１を介して、サービス提供サーバ４０へ接続することができない。そのため、サービス提供サーバ４０へ接続するために、例えば、ＵＥ１１が、基地局６１を管理する通信事業者と契約している場合には、基地局６１を介してサービス提供サーバ４０へ接続する。これによって、サービス提供サーバ４０は、ＵＥ１１から接続されることを契機として、ＵＥ１１へ在圏サービスを提供する。
【００３４】
契約先の通信事業者が管理するネットワーク以外のネットワークを介して通信を行うことができない理由として、例えば、通信事業者が管理するネットワークには、契約を結んでいる通信端末のみを管理情報として登録していることがあげられる。一般的に、通信事業者は、未契約の通信端末から通信要求は破棄するという処理をネットワークに設定する。そのため、通信端末は、契約先のネットワーク以外のネットワークを介して通信を行うことができない。
【００３５】
続いて、図４を用いてＣＢＣ３３の構成例について説明する。ＣＢＣ３３は、例えば、コンピュータ装置であり、具体的にはサーバ装置であってもよい。ＣＢＣ３３は、ＣＢＳメッセージ生成部７１を有している。ＣＢＳメッセージ生成部７１は、サービス提供サーバ４０から送信されたサービス識別子を設定したＣＢＳメッセージを生成する。
【００３６】
さらに、サービス提供サーバ４０は、サービス識別子を配信する地域を指定した情報（地域情報）をＣＢＣ３３へ送信する。つまり、サービス提供サーバ４０は、在圏サービスを提供する地域情報をＣＢＣ３３へ送信する。ＣＢＳメッセージ生成部７１は、サービス提供サーバ４０から送信された地域情報に基づいて、地域情報内に含まれるＨＮＢを特定する。さらに、ＣＢＳメッセージ生成部７１は、特定したＨＮＢに関する情報をＣＢＳメッセージに設定する。
【００３７】
例えば、サービス提供サーバ４０は、地域情報として、特定の地域における店舗を指定したとする。このような場合、ＣＢＣ３３は、その店舗を通信エリアとするＨＮＢを特定する。
【００３８】
ＣＢＳメッセージ生成部７１は、サービス識別子及び特定したＨＮＢに関する情報を設定したＣＢＳメッセージをＨＮＢ−ＧＷ３２へ送信する。また、ＣＢＳメッセージ生成部７１における処理は、コンピュータ装置であるＣＢＣ３３に内蔵されたＣＰＵがメモリに格納されたプログラムを用いることによって実行されてもよい。
【００３９】
続いて、図５を用いてＨＮＢ−ＧＷ３２の構成例について説明する。ＨＮＢ−ＧＷ３２は、例えば、コンピュータ装置であり、具体的にはデータの中継機能を有するサーバ装置であってもよい。ＨＮＢ−ＧＷ３２は、ＨＮＢ選択部８１を有している。
【００４０】
ＨＮＢ選択部８１は、ＨＮＢ−ＧＷ３２が複数のＨＮＢを集約するゲートウェイ装置である場合に、ＣＢＣ３３から送信されたＣＢＳメッセージに設定されたＨＮＢに関する情報に基づいて、ＣＢＳメッセージを送信するＨＮＢを選択する。ここでは、ＨＮＢ選択部８１は、ＨＮＢ３１を選択したとする。ＨＮＢ選択部８１は、選択したＨＮＢ３１に対して、ＣＢＣ３３から送信されたＣＢＳメッセージに設定されたサービス識別子を抽出し、サービス識別子を設定したＣＢＳメッセージを送信する。また、ＨＮＢ選択部８１における処理は、コンピュータ装置であるＨＮＢ−ＧＷ３２に内蔵されたＣＰＵがメモリに格納されたプログラムを用いることによって実行されてもよい。
【００４１】
ＨＮＢ３１は、ＨＮＢ−ＧＷ３２から送信されたＣＢＳメッセージを受信すると、サービス識別子を設定したＣＢＳメッセージをＨＮＢ３１が形成するセル内に在圏する通信端末へ送信する。セル内に複数の通信端末が在圏する場合、ＨＮＢ３１は、複数の通信端末へＣＢＳメッセージを送信する。
【００４２】
続いて、図６を用いてＵＥ１１の構成例について説明する。ＵＥ１１は、在圏サービス判定部９１及び在圏サービス要求部９２を有している。在圏サービス判定部９１は、ＨＮＢ３１から送信されたＣＢＳメッセージに、サービス識別子が設定されているか否かを判定する。在圏サービス判定部９１は、ＣＢＳメッセージにサービス識別子が設定されていると判定した場合、ＣＢＳメッセージに設定されていたサービス識別子を在圏サービス要求部９２へ出力する。
【００４３】
在圏サービス要求部９２は、在圏サービス判定部９１から出力されたサービス識別子に基づいて、サービス識別子に関連づけられたサービス提供サーバ４０へ接続を行う。ＵＥ１１は、サービス提供サーバ４０へ接続すると、サービス提供サーバ４０から在圏サービスが提供される。
【００４４】
また、在圏サービス判定部９１において、ＣＢＳメッセージにサービス識別子が設定されていないと判定した場合、ＵＥ１１の表示部（図示せず）等に、ＣＢＳメッセージにおいて配信された情報を表示する等の、ＣＢＳメッセージを受信した際の通常の処理を実行する。
【００４５】
続いて、図７を用いて本発明の実施の形態２にかかる在圏サービスの提供処理の流れについて説明する。はじめに、サービス提供サーバ４０は、サービス識別子及び地域情報を設定したInformationメッセージをＣＢＣ３３へ送信する（Ｓ１１）。次に、ＣＢＣ３３は、サービス識別子、及び、地域情報に対応付けられたＨＮＢに関する情報を設定したWrite-ReplaceメッセージをＨＮＢ−ＧＷ３２へ送信する（Ｓ１２）。地域情報に対応付けられたＨＮＢは、例えば、ＣＢＣ３３が指定した地域情報内に配置されるＨＮＢである。
【００４６】
次に、ＨＮＢ−ＧＷ３２は、ＨＮＢ選定処理を実行する（Ｓ１３）。ＨＮＢ−ＧＷ３２は、Write-Replaceメッセージに設定されたＨＮＢに関する情報を用いて、サービス識別子を送信すべきＨＮＢを選択する。次に、ＨＮＢ−ＧＷ３２は、サービス識別子を送信すべきＨＮＢとして、ＨＮＢ３１を選択した場合、ＨＮＢ３１へ、Broadcast Requestメッセージを送信する（Ｓ１４）。ＨＮＢ−ＧＷ３２は、サービス識別子を設定したBroadcast RequestメッセージをＨＮＢ３１へ送信する。ここで、ＨＮＢ−ＧＷ３２は、Write-Replaceメッセージに複数のＨＮＢが設定されている場合、複数のＨＮＢへBroadcast Requestメッセージを送信してもよい。
【００４７】
ＨＮＢ−ＧＷ３２は、ＨＮＢ３１へBroadcast Requestメッセージを送信した後に、Write-Replaceメッセージを送信したＣＢＣ３３へReport Successメッセージを送信する（Ｓ１５）。ＨＮＢ−ＧＷ３２は、Broadcast RequestメッセージをＨＮＢ３１へ送信したことを通知するために、Report SuccessメッセージをＣＢＣ３３へ送信する。
【００４８】
ＣＢＣ３３は、サービス提供サーバ４０に対して、Informationメッセージの応答メッセージとして、Ａｃｋメッセージを送信する（Ｓ１６）。
【００４９】
ＨＮＢ３１は、サービス識別子が設定されたBroadcast Requestメッセージを受信すると、自装置が形成するセルに在圏するＵＥ１１へ、サービス識別子を設定したNotificationメッセージを送信する（Ｓ１７）。ここで、Write-Replaceメッセージ、Broadcast Requestメッセージ及びNotificationメッセージは、サービス識別子を送信するために用いられるＣＢＳメッセージに相当する。
【００５０】
次に、ＵＥ１１は、Notificationメッセージを受信すると、サービス識別子が設定されているか否かを確認する（Ｓ１８）。次に、ＵＥ１１は、Notificationメッセージにサービス識別子が設定されていると判定した場合、サービス識別子に関連づけられているサービス提供サーバ４０へ、在圏サービスRequestメッセージを送信する（Ｓ１９）。
【００５１】
サービス提供サーバ４０は、在圏サービスRequestメッセージへの応答メッセージとして、在圏サービスAcceptメッセージをＵＥ１１へ送信する（Ｓ２０）。以降、サービス提供サーバ４０は、ＵＥ１１へ在圏サービスを提供する（Ｓ２１）。例えば、サービス提供サーバ４０は、ＵＥ１１が在圏サービスRequestメッセージを送信してきたネットワークを介して在圏サービスを提供してもよい。具体的には、ＵＥ１１が、図２におけるネットワーク６０を介して在圏サービスRequestメッセージを送信してきた場合、ネットワーク６０を介して在圏サービスを提供してもよい。もしくは、ＵＥ１１が、ネットワーク６０をとは異なるネットワークを用いた在圏サービスの提供を希望している場合、ＵＥ１１が希望するネットワークを介して在圏サービスを提供してもよい。ＵＥ１１は、在圏サービスRequestメッセージに、在圏サービスの提供を希望するネットワークに関する情報を設定してもよい。
【００５２】
続いて、図８を用いて、ＣＢＣ３３におけるＣＢＳメッセージの送信処理の流れについて説明する。はじめに、ＣＢＳメッセージ生成部７１は、サービス提供サーバ４０から送信されたInformationメッセージを受信する（Ｓ３１）。つぎにＣＢＳメッセージ生成部７１は、Informationメッセージにサービス識別子が設定されているか否かを判定する（Ｓ３２）。サービス識別子は、サービスＩＤと称されてもよい。以降、サービス識別子と、サービスＩＤは、同様の識別子として説明を行う。
【００５３】
ＣＢＳメッセージ生成部７１は、Informationメッセージにサービス識別子が設定されていると判定した場合、Informationメッセージ設定されているサービス識別子をWrite-Replaceメッセージに設定する（Ｓ３３）。次に、ＣＢＳメッセージ生成部７１は、Informationメッセージに設定されている地域情報を、ＣＢＳメッセージを配信するＨＮＢに関する情報に変換する（Ｓ３４）。ＣＢＳメッセージ生成部７１は、地域情報とＨＮＢとが関連づけられたテーブルを予め保持し、テーブルに基づいて地域情報をＨＮＢに関する情報に変換してもよい。テーブルには、地域情報とＨＮＢとが１対１に対応づけられてもよく、１つの地域情報に対して、複数のＨＮＢが対応付けられてもよい。
【００５４】
ステップＳ３２において、ＣＢＳメッセージ生成部７１は、Informationメッセージにサービス識別子が設定されていないと判定した場合、ステップＳ３３の処理を実行することなく、ステップＳ３４の処理を実行する。
【００５５】
次に、ＣＢＳメッセージ生成部７１は、ステップＳ３２において、サービス識別子が設定されていると判定した場合、サービス識別子及びＨＮＢに関する情報とを設定したWrite-ReplaceメッセージをＨＮＢ−ＧＷ３２へ送信する（Ｓ３５）。ＨＮＢに関する情報は、例えば、ＨＮＢの識別子であってもよい。ＨＮＢの識別子は、例えば、ネットワーク５０を管理する通信事業者によって定められ、ネットワーク５０においてＨＮＢを一意に識別することができる識別子であってもよい。
【００５６】
続いて、図９を用いてＵＥ１１においてNotificationメッセージを受信した際の処理の流れについて説明する。はじめに、在圏サービス判定部９１は、ＨＮＢ３１から送信されたNotificationメッセージを受信する（Ｓ４１）。次に、在圏サービス判定部９１は、Notificationメッセージにサービス識別子が設定されているか否かを判定する（Ｓ４２）。在圏サービス判定部９１は、Notificationメッセージにサービス識別子が設定されていないと判定した場合、Notificationメッセージに設定されている情報をＵＥ１１の表示部等へ表示する（Ｓ４７）。もしくは、在圏サービス判定部９１は、Notificationメッセージにサービス識別子が設定されていないと判定した場合、Notificationメッセージを受信した場合の通常の処理を実行する。
【００５７】
在圏サービス判定部９１において、Notificationメッセージにサービス識別子が設定されていると判定された場合、在圏サービス要求部９２は、在圏サービスRequestメッセージを送信する際に用いるネットワークを選択する（Ｓ４３）。例えば、在圏サービス要求部９２は、図２におけるネットワーク６０を選択する。また、在圏サービス要求部９２は、複数のネットワークを利用可能である場合、通信速度が最も早いネットワーク、もしくは、利用料金が最も安いネットワーク等、特定の基準に基づいて利用するネットワークを選択してもよい。
【００５８】
次に、在圏サービス要求部９２は、選択したネットワークを介して、在圏サービスRequestメッセージをサービス提供サーバ４０へ送信する（Ｓ４４）。次に、在圏サービス要求部９２は、サービス提供サーバ４０から送信された在圏サービスAcceptメッセージを受信する（Ｓ４５）。次に、ＵＥ１１は、サービス提供サーバ４０から在圏サービス提供時に配信される情報を受信する（Ｓ４６）。
【００５９】
以上説明したように、本発明の実施の形態２にかかる通信システムを用いることによって、ＵＥは、ＣＢＳメッセージに設定されたサービス識別子を受信することができる。さらに、サービス提供サーバ４０は、ＵＥ１１から送信された在圏サービスRequestメッセージを受信することによって、在圏サービスを提供するエリア内に、ＵＥ１１が在圏していることを把握することができる。そのため、サービス提供サーバ４０は、ＵＥ１１へ在圏サービスを提供することができる。
【００６０】
また、ＣＢＳメッセージは、一般的には災害情報等緊急の情報を送信するために用いられることが多い。そのため、ＨＮＢ３１は、自装置が形成するセル内に在圏するＵＥであれば、ＨＮＢ３１を管理する通信事業者と契約を交わしていないＵＥであったとしても、ＣＢＳメッセージを送信する。そのため、ＵＥは、契約を交わしていない通信事業者の管理するＨＮＢから送信されたＣＢＳメッセージを受信することができる。
【００６１】
ＣＢＣ３３は、ＣＢＳメッセージにサービス識別子を設定することによって、ＣＢＣ３３を管理する通信事業者と契約を交わしていないＵＥに対しても、サービス識別子を通知することができる。サービス提供サーバ４０は、このようにＣＢＳを用いてサービス識別子を送信することによって、在圏サービスを提供するエリアを管理する通信事業者と契約を交わしていないＵＥに対してもサービス識別子を通知することができるため、契約先の通信事業者によらず、様々なＵＥへ在圏サービスを提供することができる。
【００６２】
（実施の形態３）
続いて、図１０を用いて、本発明の実施の形態３に係る在圏サービスの提供処理の流れについて説明する。ステップＳ５１〜Ｓ５７においては、図７のステップＳ１１〜Ｓ１７と同様のメッセージが送信される。ここでは、図７において設定される情報と異なる情報及び図７における処理と異なる処理について説明する。
【００６３】
サービス提供サーバ４０は、サービス識別子及び地域情報とともに、認証情報を合わせてＣＢＣ３３へ送信する（Ｓ５１）。認証情報は、例えば、認証鍵に関する情報（認証鍵情報）であってもよい。ＣＢＣ３３及びＨＮＢ−ＧＷ３２は、ステップＳ５２及びＳ５３において、サービス識別情報及びＨＮＢに関する情報とともに、認証情報を合わせてＨＮＢ３１へ送信する。
【００６４】
ＨＮＢ３１は、ステップＳ５４において、Broadcast Requestメッセージを受信すると、サービス識別子、地域情報及び認証情報を設定したNotificationメッセージをＵＥ１１へ送信する（Ｓ５７）。
【００６５】
ＵＥ１１は、ステップＳ５８において、Notificationメッセージにサービス識別子が設定されていると判定した場合、サービス識別子と関連づけられたサービス提供サーバ４０へ、サービス識別子及び認証情報を設定した在圏認証Requestメッセージを送信する（Ｓ５９）。ＵＥ１１は、認証情報として、Notificationメッセージに設定されていた認証情報を在圏認証Requestメッセージに設定する。認証情報は、在圏サービスを提供するエリアに在圏したＵＥへ送信される。そのため、ＵＥ１１は、在圏認証Requestメッセージにサービス識別子及び認証情報を設定することによって、在圏サービスが提供されるエリアに在圏したことをサービス提供サーバ４０へ通知することができる。さらに、ＵＥ１１が、在圏認証Requestメッセージにサービス識別子及び認証情報を設定することによって、ＵＥ１１が、在圏サービスが提供されるエリアにおいて、認証情報を受信したことをサービス提供サーバ４０へ通知することができる。
【００６６】
次に、サービス提供サーバ４０は、ＵＥ１１から送信された在圏認証Requestメッセージを受信し、サービス識別子及び認証情報の組み合わせが正しいものであると判定すると、在圏認証AcceptメッセージをＵＥ１１へ送信する（Ｓ６０）。さらに、その後、ＵＥ１１へ在圏サービスを提供する（Ｓ６１）。
【００６７】
続いて、図１１を用いてサービス提供サーバ４０における認証処理の流れについて説明する。はじめに、サービス提供サーバ４０は、ＵＥ１１から送信された在圏認証Requestメッセージを受信する（Ｓ６５）。
【００６８】
次に、サービス提供サーバ４０は、在圏認証Requestメッセージを送信してきたＵＥ１１が、在圏サービス提供可能なＵＥであるか否かを判定する（Ｓ６６）。例えば、サービス提供サーバ４０は、在圏認証Requestメッセージに設定されている認証情報が、自装置から送信された認証情報であるか否かを判定してもよい。この場合、サービス提供サーバ４０は、在圏認証Requestメッセージに設定されている認証情報が、自装置から送信された認証情報であると判定した場合、ＵＥ１１を在圏サービス提供可能なＵＥで有ると判定してもよい。サービス提供サーバ４０は、ＵＥ１１を在圏サービス提供可能なＵＥで有ると判定すると、在圏認証AcceptメッセージをＵＥ１１へ送信する（Ｓ６７）。
【００６９】
ステップＳ６２において、サービス提供サーバ４０は、在圏認証Requestメッセージに設定されている認証情報が、自装置から送信された認証情報でないと判定した場合、ＵＥ１１が在圏サービスを提供することができないＵＥで有ると判定してもよい。サービス提供サーバ４０は、ＵＥ１１が在圏サービスを提供することができないＵＥで有ると判定すると、在圏認証Requestメッセージを破棄する（Ｓ６８）。もしくは、このような場合、サービス提供サーバ４０は、ＵＥ１１が在圏サービス提供をすることができないＵＥで有ることを示すメッセージをＵＥ１１へ送信してもよい。
【００７０】
サービス提供サーバ４０は、本図における認証処理を、ＣＰＵが、メモリに格納されているプログラムを用いることによって実行してもよい。
【００７１】
続いて、図１２を用いてＵＥ１１においてNotificationメッセージを受信した際の処理の流れについて説明する。ステップＳ７１〜ステップＳ７３及びステップＳ７７は、図９のステップＳ４１〜４３及びステップＳ４７と同様であるため詳細な説明を省略する。
【００７２】
ステップＳ７４において、在圏サービス要求部９２は、Notificationメッセージに設定されていたサービス識別子及び認証情報を設定した在圏認証Requestメッセージをサービス提供サーバ４０へ送信する（Ｓ７４）。次に、在圏サービス要求部９２は、在圏認証Requestメッセージの応答メッセージとして、在圏認証Acceptメッセージを受信したか否かを判定する（Ｓ７５）。在圏サービス要求部９２は、在圏認証Requestメッセージを送信した後、所定期間内に在圏認証Acceptメッセージを受信しなかった場合、処理を終了する。在圏サービス要求部９２は、在圏認証Requestメッセージを送信した後、所定期間内に在圏認証Acceptメッセージを受信した場合、以降、サービス提供サーバ４０から在圏サービス提供時に配信される情報を受信する（Ｓ７６）。
【００７３】
以上説明したように、本発明の実施の形態３にかかる認証処理を実行することにより、在圏サービスエリアに在圏するＵＥであることを認識したうえで、ＵＥへ在圏サービスを提供することができる。そのため、サービス提供サーバ４０は、在圏サービスを提供すべきＵＥに対して、確実に在圏サービスを提供することができる。
【００７４】
（実施の形態４）
続いて、図１３を用いて本発明の実施の形態４にかかるＵＥ１００の構成例について説明する。本実施の形態においては、ＵＥ１００は、Notificationメッセージを受信することができるが、契約先の通信事業者から送信されたNotificationメッセージ以外のNotificationメッセージを受信した場合、Notificationメッセージを用いた処理を実行することなく、破棄することを前提とする。このようなＵＥ１００は、契約先の通信事業者から送信されたＣＢＳメッセージのみを処理することを前提とする。
【００７５】
ＵＥ１００は、在圏サービス判定部１０１、在圏サービス要求部１０２及び在圏サービス制御部１０３を有している。
【００７６】
在圏サービス判定部１０１は、サービス提供サーバ４０が在圏サービスを提供するエリアに在圏しているか否かを判定する。例えば、在圏サービス判定部１０１は、ＵＥ１１を操作するユーザによって、在圏サービスエリア内に在圏したことを示す入力操作が実行された場合に、サービス提供サーバ４０が在圏サービスを提供するエリアに在圏していると判定してもよい。
【００７７】
在圏サービス制御部１０３は、在圏サービス判定部１０１において、サービス提供サーバ４０が在圏サービスを提供するエリアに在圏していると判定された場合、契約先の通信事業者から送信されたNotificationメッセージ以外のNotificationメッセージを用いた処理を実行することができるように制御する。例えば、在圏サービス制御部１０３は、特定のアプリケーション（以下、在圏サービスアプリケーションと称する）を起動することによって、契約先の通信事業者から送信されたNotificationメッセージ以外のNotificationメッセージを用いた処理を実行することができるようにしてもよい。
【００７８】
在圏サービス要求部１０２は、例えば、在圏サービスアプリケーションが起動されている間、図７において説明した在圏サービスRequestメッセージもしくは図１０において説明した在圏認証Requestメッセージを送信する。つまり、ＵＥ１００は、在圏サービスアプリケーションが起動されている間、サービス提供サーバ４０から在圏サービスの提供を受けることができるようにしてもよい。
【００７９】
続いて、図１４を用いてＵＥ１００においてNotificationメッセージを受信した際の処理の流れについて説明する。はじめに、在圏サービス判定部１０１は、サービス提供サーバ４０が在圏サービスを提供するエリア内に在圏しているか否かを判定する（Ｓ８１）。在圏サービス判定部１０１は、サービス提供サーバ４０が在圏サービスを提供するエリア内に在圏していないと判定した場合、ステップＳ７１の処理を繰り返す。在圏サービス判定部１０１において、サービス提供サーバ４０が在圏サービスを提供するエリア内に在圏していると判定された場合、在圏サービス制御部１０３は、在圏サービスアプリケーションを起動する（Ｓ８２）。
【００８０】
次に、在圏サービス判定部１０１は、ＨＮＢ３１から送信されたNotificationメッセージを受信する（Ｓ８３）。次に、在圏サービス判定部１０１は、Notificationメッセージにサービス識別子が設定されているか否かを判定する（Ｓ８４）。在圏サービス判定部１０１は、Notificationメッセージにサービス識別子が設定されていないと判定した場合、処理を終了する。
【００８１】
ステップＳ８５〜ステップＳ８８は、図９のステップＳ４３〜ステップＳ４６と同様であるため詳細な説明を省略する。また、ステップＳ８４〜ステップＳ８８は、図１２のステップＳ７２〜ステップＳ７７と置き換えられ、ＵＥ１００は、認証に関する処理を実行してもよい。
【００８２】
以上説明したように、本発明の実施の形態４にかかるＵＥ１００は、通常状態において、契約先の通信事業者が管理するネットワークから送信されたＣＢＳメッセージを用いた処理を実行しない場合においても、在圏サービスアプリケーションを起動することにより、在圏サービスが提供されるエリア内において、ＣＢＳメッセージを用いた処理を実行するように制御することができる。
【００８３】
上述の実施の形態では、本発明をハードウェアの構成として説明したが、本発明は、これに限定されるものではない。本発明は、サービス提供サーバ、通信ノード装置及び通信端末における処理を、ＣＰＵ（Central Processing Unit）にコンピュータプログラムを実行させることにより実現することも可能である。）
【００８４】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８５】
なお、本発明は上記実施の形態に限られたものではなく、趣旨を逸脱しない範囲で適宜変更することが可能である。
【符号の説明】
【００８６】
１０  通信端末
１１  ＵＥ
２０  セル
２１  セル
３０  通信ノード装置
３１  ＨＮＢ
３２  ＨＮＢ−ＧＷ
３３  ＣＢＣ
４０  サービス提供サーバ
５０  ネットワーク
６０  ネットワーク
６１  基地局
６２  セル
７１  ＣＢＳメッセージ生成部
８１  ＨＮＢ選択部
９１  在圏サービス判定部
９２  在圏サービス要求部
１００  ＵＥ
１０１  在圏サービス判定部
１０２  在圏サービス要求部
１０３  在圏サービス制御部
【図１】
2015095851.tif 000003
【図２】
2015095851.tif 000004
【図３】
2015095851.tif 000005
【図４】
2015095851.tif 000006
【図５】
2015095851.tif 000007
【図６】
2015095851.tif 000008
【図７】
2015095851.tif 000009
【図８】
2015095851.tif 000010
【図９】
2015095851.tif 000011
【図１０】
2015095851.tif 000012
【図１１】
2015095851.tif 000013
【図１２】
2015095851.tif 000014
【図１３】
2015095851.tif 000015
【図１４】
2015095851.tif 000016